(57)【要約】【課題】衣類についた花粉や、内槽や外槽内で舞い上がった花粉を除去できる洗濯乾燥機を提供する。【解決手段】ヒータ１３を動作させながら回転翼８の回転およびは送風ファン１２による温風で衣類に付着した花粉を除去しながら衣類の乾燥を行う花粉除去乾燥コースと、ヒータ１３を動作させずに回転翼８の回転または送風ファン１２による送風だけで衣類に付着した花粉を除去する花粉除去送風コースとを有し、花粉除去送風コース運転時は花粉除去乾燥コース運転時より送風ファン１２の回転数を下げて風量を落とすようにしたもので、洗濯する衣類、外干しした衣類にかかわらず、衣類から花粉をふるい落として沈降回収したり、或いは、送風ファン１２による風で舞い上がっている花粉を花粉捕集フィルタ１５で確実に捕集し、除去できる。【選択図】図１
2005348848.tif 000002
【特許請求の範囲】
【請求項１】
筐体内に弾性的に吊支された外槽と、前記外槽内に回転自在に支持されると共に衣類が投入される内槽と、前記内槽の底部に回転自在に設けられた回転翼と、前記内槽または前記回転翼を駆動する駆動手段と、前記内槽内に送風する送風手段と、前記送風手段により送風される空気を加熱する加熱手段と、前記送風手段により送風される空気が通過する経路に配設された花粉捕集フィルタとを備え、前記加熱手段を動作させながら前記回転翼の回転および前記送風手段による温風で前記衣類に付着した花粉を除去しながら衣類の乾燥を行う花粉除去乾燥コースと、加熱手段を動作させずに前記回転翼の回転または前記送風手段による送風で前記衣類に付着した花粉を除去する花粉除去送風コースとを有し、前記花粉除去送風コース運転時は前記花粉除去乾燥コース運転時より前記送風手段の風量を下げるようにした洗濯乾燥機。
【請求項２】
花粉除去送風コースは運転開始初期に送風手段を停止した状態で回転翼の回転を行い、所定時間後、前記送風手段を動作させて送風するようにした請求項１に記載の洗濯乾燥機。
【請求項３】
運転コース等を入力する入力設定手段と、前記入力設定手段により設定された内容や進行状態を表示する表示手段を備え、前記表示手段は、洗い時間表示部、すすぎ回数表示部、脱水時間表示部、乾燥時間表示部などの表示部を有し、花粉除去送風コース選択時は洗い／すすぎ／脱水の動作を選択できないようにした請求項１または２記載の洗濯乾燥機。
【請求項４】
乾燥時間表示部には、花粉除去乾燥コースの選択を表示する花粉除去乾燥コース表示部と、花粉除去送風コースの選択を表示する花粉除去送風コース表示部とを設けた請求項３に記載の洗濯乾燥機。
【請求項５】
花粉除去送風コース表示部の表示色と花粉除去乾燥コース表示部の表示色とが、異なる色になるようにした請求項４に記載の洗濯乾燥機。
【発明の詳細な説明】
【技術分野】
【０００１】
本発明は、衣類の洗濯と乾燥機能を有する洗濯乾燥機に関するものである。
【背景技術】
【０００２】
従来、ドラム回転によるタンブリング効果で衣類に付着した花粉をたたき出し、ドラム内に配設された花粉フィルタによってこれを除去する機能を有する衣類乾燥機が提案されている（例えば、特許文献１及び２参照）。
【特許文献１】特許第３０３７０６３号公報
【特許文献２】特開２０００−１６７２９９号公報
【発明の開示】
【発明が解決しようとする課題】
【０００３】
近年、洗濯から乾燥までをスルーで運転できる洗濯乾燥機が主流となっている。これは洗い、すすぎ、脱水、乾燥の全行程を同一洗濯槽内で完結するものである。
【０００４】
しかし従来のドラム方式では、洗濯槽内に花粉捕集フィルタを配設しなければならず、構成上洗濯乾燥機において同様の構成で花粉を除去することは難しい。また、洗濯乾燥機には、主に日本で使われているパルセータ方式と、欧州で使われているドラム方式があり、パルセータ方式の場合には、タンブリングによる機械力を加えることも構成上できない。
【０００５】
本発明は、前記従来の課題を解決するもので、パルセータ方式のものも含め、花粉を衣類から除去しながら衣類を洗濯乾燥することができるとともに花粉が飛散しやすい外干しの衣類に付着した花粉についても確実に除去可能な使用勝手の良い洗濯乾燥機を提供することを目的とする。
【課題を解決するための手段】
【０００６】
前記従来の課題を解決するために、本発明の洗濯乾燥機は、筐体内に弾性的に吊支された外槽と、前記外槽内に回転自在に支持されると共に衣類が投入される内槽と、前記内槽の底部に回転自在に設けられた回転翼と、前記内槽または前記回転翼を駆動する駆動手段と、前記内槽内に送風する送風手段と、前記送風手段により送風される空気を加熱する加熱手段と、前記送風手段により送風される空気が通過する経路に配設された花粉捕集フィルタとを備え、前記加熱手段を動作させながら前記回転翼の回転および前記送風手段による温風で前記衣類に付着した花粉を除去しながら衣類の乾燥を行う花粉除去乾燥コースと、加熱手段を動作させずに前記回転翼の回転または前記送風手段による送風で前記衣類に付着した花粉を除去する花粉除去送風コースとを有し、前記花粉除去送風コース運転時は前記花粉除去乾燥コース運転時より前記送風手段の風量を下げるようにしたもので、回転翼の回転により衣類から花粉をふるい落として沈降回収することで、或いは、送風手段による風で沈降せずに舞い上がっている経路内の花粉を花粉捕集フィルタでろ過して捕集することで、花粉を除去することができる。花粉除去乾燥コース時は、花粉捕集フィルタにより、外部から吸引される乾燥用の空気に含まれる花粉を捕集するので、衣類に新たに花粉が付着するのを防止することができる。また、外干しで乾いた衣類については乾燥前の湿った衣類に比べ回転翼で振るい落とされた花粉が飛散しやすく、乾燥と同じ風量では花粉捕集フィルタ以外に花粉が漏れるおそれがあるので、花粉除去送風コース時においては、花粉除去乾燥コース時より送風手段の風量を下げることで、花粉を必要以上に飛散させることなく確実に花粉捕集フィルタでろ過して捕集することができる。
【発明の効果】
【０００７】
本発明の洗濯乾燥機は、花粉を除去しながら洗濯乾燥ができるとともに、外干しの衣類についても花粉を確実に除去することができる。
【発明を実施するための最良の形態】
【０００８】
第１の発明は、筐体内に弾性的に吊支された外槽と、前記外槽内に回転自在に支持されると共に衣類が投入される内槽と、前記内槽の底部に回転自在に設けられた回転翼と、前記内槽または前記回転翼を駆動する駆動手段と、前記内槽内に送風する送風手段と、前記送風手段により送風される空気を加熱する加熱手段と、前記送風手段により送風される空気が通過する経路に配設された花粉捕集フィルタとを備え、前記加熱手段を動作させながら前記回転翼の回転および前記送風手段による温風で前記衣類に付着した花粉を除去しながら衣類の乾燥を行う花粉除去乾燥コースと、加熱手段を動作させずに前記回転翼の回転または前記送風手段による送風で前記衣類に付着した花粉を除去する花粉除去送風コースとを有し、前記花粉除去送風コース運転時は前記花粉除去乾燥コース運転時より前記送風手段の風量を下げるようにしたもので、回転翼の回転により衣類から花粉をふるい落として沈降回収することで、或いは、送風手段による風で沈降せずに舞い上がっている経路内の花粉を花粉捕集フィルタでろ過して捕集することで、花粉を除去することができる。花粉除去乾燥コース時は、花粉捕集フィルタにより、外部から吸引される乾燥用の空気に含まれる花粉を捕集するので、衣類に新たに花粉が付着するのを防止することができる。また、外干しで乾いた衣類については乾燥前の湿った衣類に比べ回転翼で振るい落とされた花粉が飛散しやすく、乾燥と同じ風量では花粉捕集フィルタ以外に花粉が漏れるおそれがあるので、花粉除去送風コース時においては、花粉除去乾燥コース時より送風手段の風量を下げることで、花粉を必要以上に飛散させることなく確実に花粉捕集フィルタでろ過して捕集することができる。
【０００９】
第２の発明は、花粉除去送風コースは運転開始初期に送風手段を停止した状態で回転翼の回転を行い、所定時間後、前記送風手段を動作させて送風するようにしたもので、外干し衣類については、花粉も乾燥しており飛散しやすい状態であるが、まず回転翼による回転力を加えて花粉を振るい落とし、一定時間後に送風により経路内の花粉を花粉捕集フィルタでろ過して捕集することがでるので、初期の回転翼による回転力で必要以上に舞った花粉を花粉捕集フィルタから漏らすことなく、さらに確実に花粉を捕集することができる。
【００１０】
第３の発明は、運転コース等を入力する入力設定手段と、前記入力設定手段により設定された内容や進行状態を表示する表示手段を備え、前記表示手段は、洗い時間表示部、すすぎ回数表示部、脱水時間表示部、乾燥時間表示部などの表示部を有し、花粉除去送風コース選択時は洗い／すすぎ／脱水の動作を選択できないようにしたもので、一旦洗濯して外干しした衣類を仕上げで花粉除去する場合に、使用者が操作を誤って再度衣類を洗濯して濡らしてしまうということを防止することができる。
【００１１】
第４の発明は、乾燥時間表示部には、花粉除去乾燥コースの選択を表示する花粉除去乾燥コース表示部と、花粉除去送風コースの選択を表示する花粉除去送風コース表示部とを設けたもので、どちらのコースも回転翼による回転と送風手段を動作させる点において共通であり、しかも花粉除去乾燥コースと花粉除去送風コースは同時に運転できないので、表示スペースを有効に活用できるとともに操作性を向上させることができる。
【００１２】
第５の発明は、花粉除去送風コース表示部の表示色と花粉除去乾燥コース表示部の表示色とが、異なる色になるようにしたもので、同じ乾燥時間表示部の中にあっても、それぞれコースが異なることを使用者にわかりやすく知らせることができ、視認性の向上を図ることができる。
【００１３】
以下、本発明の実施の形態について、図面を参照しながら説明する。なお、この実施の形態によって本発明が限定されるものではない。
【００１４】
（実施の形態１）
図１は本発明の実施の形態１における洗濯乾燥機の側断面図である。
【００１５】
図１において、洗濯機の筐体１は、サスペンション２により外槽３をその内部に弾性的に吊支している。外槽３に回転自在に支持された内槽５は、側壁に多数の脱水孔６を有するとともに、内周の上部に流体バランサ７を有し、中央底部には外周を傾斜面としたナベ型の形状に形成した回転翼８が配設されている。この回転翼８の表面には、多数の水抜き穴９を有している。
【００１６】
内槽５、回転翼８を回転駆動する駆動手段は、伝達機構部１０およびモータ１１からなる。伝達機構部１０は内部に洗濯時の減速ギア（図示せず）および洗濯・脱水軸の切り換えクラッチ（図示せず）を内蔵している。モータ１１は外槽３の底部に取り付けられ、その動力を、中空で２軸構造となっている洗濯・脱水軸４に伝達する。
【００１７】
送風手段である送風ファン１２は、加熱手段であるヒータ１３で温められた空気をダクト１４を通して内槽５に送り込むものであり、コースに応じて回転数を変化させ、風量を調整できようにしている。花粉捕集フィルタ１５は、２０〜４０μｍの微粒子を捕獲できるフィルタであり、送風ファン１２の上流側即ち、吸気側に設けられている。外槽３の上方には、衣類投入フタ１７を設けた外槽カバー１６が配設されている。
【００１８】
この外槽カバー１６上には、送風ファン１２によって内槽５内に送りこまれた空気を外部に排出するための排気部１６ａが配設されており、そこには衣類から発生するリントを回収するための排気フィルタ１８が設けられている。送風ファン１２の吸気は、洗濯乾燥機の外気と、この排気フィルタ１８からの排気の両方を吸い込む構成になっている。また外槽３の底面には、外槽３内に貯水された水を排出するための排水手段１９が設けられている。
【００１９】
運転コース等を設定するための入力設定手段２１は、図２に示すように、洗い時間を設定する洗い時間設定スイッチ（洗い時間設定手段）２１ａ、すすぎ回数を設定するすすぎ回数設定スイッチ（すすぎ回数設定手段）２１ｂ、脱水時間を設定する脱水時間設定スイッチ（脱水時間設定手段）２１ｃ、乾燥時間を設定する乾燥時間設定スイッチ（乾燥時間設定手段）２１ｄ、スタート・一時停止スイッチ２１ｅ、電源入りスイッチ２１ｆ、電源切りスイッチ２１ｇなどを有している。また、第１のコース設定スイッチ２１ｈと第２のコース設定スイッチ２１ｉとを設けている。
【００２０】
第１のコース設定スイッチ２１ｈは、運転するコースを設定するもので、洗い、すすぎ、脱水、乾燥の一連の行程を行うコースと、洗い、すすぎ、脱水の各行程を行うコースと、乾燥行程のみを行うコースとを、１回オンするごとに上記の順に切換設定できるようにしている。
【００２１】
第２のコース設定スイッチ２１ｉは、おまかせコース、お急ぎコース、わたし流コース、毛布コース、１時間洗乾コースなどを切換設定するもので、１回オンするごとに上記の順に切り換えられるようにしている。
【００２２】
表示手段２２は、洗い時間表示部２２ａ、すすぎ回数表示部２２ｂ、脱水時間表示部２２ｃ、乾燥時間表示部２２ｄと第２のコース設定スイッチ２１ｉで設定されるコースを表示するコース設定表示部２２ｅなどを有している。また、洗剤量表示部２２ｆ、残り時間表示部２２ｇ、数字表示部２２ｈを有している。
【００２３】
ここで、洗い時間表示部２２ａ、すすぎ回数表示部２２ｂ、脱水時間表示部２２ｃ、乾燥時間表示部２２ｄは、それぞれ複数のセグメントで構成している。すなわち、洗い時間表示部２２ａは、（５分、１０分、１５分、２０分、２５分）の５つのセグメントで構成し、すすぎ回数表示部２２ｂは、（１回、２回、３回、４回、注水）の５つのセグメントで構成し、脱水時間表示部２２ｃは、（１分、３分、６分、１２分）の４つのセグメントで構成し、乾燥時間表示部２２ｄは、赤色ＬＥＤで構成された（３０分、６０分、自動）からなる花粉除去乾燥コース２２ｄ−１の３つのセグメント（花粉除去乾燥コース表示部）と、緑ＬＥＤで構成した花粉除去送風コース２２ｄ−２（送風１０分）の１つのセグメント（花粉除去送風コース表示部）の合計４つのセグメントで構成している。
【００２４】
また、乾燥時間設定スイッチ２１ｄを操作する毎に、その周囲にリング状に配置した、乾燥時間表示部２２ｄの３０分→６０分→自動→送風１０分→消灯の順で選択されたＬＥＤが点灯する。そして、花粉除去送風コース２２ｄ−２（送風１０分）選択時は洗い、すすぎ、脱水が選択できないようにしている。
【００２５】
以上のように構成された洗濯乾燥機について、その動作、作用を説明する。
【００２６】
まずは、外干しした衣類に付いた花粉を除去する場合について説明する。外干しした衣類には、大気中を飛散する花粉が付着する。花粉の飛散は、２月〜６月にかけてのスギ、ヒノキ科による花粉が、飛散量から見ても特に多いが、ほぼ一年中、アレルゲンとなりうる何かの植物の花粉が飛散している。外干しした衣類をとり込む際に、花粉が室内に持ち込まれ、これを吸い込むことで花粉症の症状をさらに悪化させる事はよく知られている。外干しした衣類には、スギ花粉飛散ピーク時には、Ｔシャツ１枚あたり１０００〜２０００個の花粉が付着する可能性がある。
【００２７】
外干し衣類に付着した花粉を除去するためには、まず衣類投入フタ１７を開けて、内槽５内に衣類を投入する。次に乾燥時間設定スイッチ２１ｄを操作し、花粉除去送風コース２２ｄ−２（送風１０分）選択し、所定の運転を行う。このコースは、回転翼８の駆動と送風ファン１２による送風を伴う動作で運転される。このとき、回転翼８は、左右回転され、これにより投入された衣類を揺さぶって花粉を沈降させる。これは、花粉は大気中ではその比重から沈降しやすい性質を利用したものである。
【００２８】
揺さぶられて沈降していく花粉は、脱水孔６および水抜き穴９を通り抜け、外槽５の底に回収される。外干しや着用後の衣類を室内に持ち込む際に、屋外で振り払って花粉を落とすと効果的であるが、回転翼８の駆動は、これをより高い能力で機械的、自動的に花粉を衣類より取り除くもので、花粉症の人が外で花粉を振り払う行為自体に無理があるので、この機能は極めて有用である。
【００２９】
ここで外槽５の底に回収された花粉の多くは、そのアレルゲン物質が水溶性のため、次の洗濯時に多量の水に溶解して、排水手段１９より機外に流されてしまう。また、外干しや着用後の衣類の場合は花粉も乾燥しており、特に回転翼８を駆動した初期にはおいては湿っている衣類と比較して大量に浮遊してしまう。この状態で送風ファン１２を高速で駆動すると確実に花粉捕集フィルタ１５で捕集することができずに、花粉が洗濯乾燥機外に漏れるおそれがある。そこで、図４に示すように、まず回転翼８の駆動を行い、花粉の浮遊が落ち着いた２分後に送風ファン１２を２０００ｒ／ｍｉｎで回転動作させ、この送風に乗って排気フィルタ１８を通り抜け、送風ファン１２の吸気側に配設された花粉捕集フィルタ１５にて確実に捕集される。
【００３０】
また、この花粉除去送風コース２２ｄ−２（送風１０分）を選択した場合は、洗濯、すすぎ、脱水を選択できないようにしてあるので、選択後の外干し衣類のケアを行いたい場合に、使用者が誤って衣類を洗濯してしまい、濡らしてしまうことを防止することができる。
【００３１】
次に、洗濯から乾燥までを通して運転した場合について説明する。
【００３２】
まず、衣類を投入し、第１のコース設定スイッチ２１ｈを操作し運転するコースを洗い、すすぎ、脱水、乾燥の一連の行程を行うコースに設定する。乾燥時間については乾燥時間設定スイッチ２１ｄを操作し、乾燥時間表示部２２ｄの（自動）に設定しておけば、乾燥終了を検知して運転が自動終了する。このコースの場合は洗濯運転時に、衣類に残留する花粉がたとえあったとしても、洗い流されてしまうためほとんど残らない。そのまま乾燥行程に進むため、衣類に付着する花粉は、乾燥用に吸気される空気中に含まれるものがほとんどとなる。このように脱水後の湿った衣類については付着している花粉の量も少なく、回転翼８の駆動により浮遊する花粉の量も少ない。この場合、図５に示すように、花粉除去乾燥コースのシーケンスとしては回転翼８を駆動するとともに、送風手段である送風ファン１２を衣類の乾燥に必要な４０００ｒ／ｍｉｎで回転動作させ、ヒータ１３を駆動して温められた空気をダクト１４を通して内槽５に送り込み、衣類を乾燥させる。また、吸気される空気の全てが送風ファン１２の吸気側に配設された花粉捕集フィルタ１５を通過する為、ここで所定の集塵効率で捕集される。
【００３３】
これを通過して花粉が内槽５に侵入した場合には、衣類がほぼ乾燥終了に近い状態となった場合に、前述の外干しした衣類に付いた花粉を除去する場合と同様のメカニズムで、外槽５の底に回収または花粉捕集フィルタ１５で捕集される。
【００３４】
いずれの場合においても、これらの動作を経て、パルセータ方式で衣類に付いた花粉を除去することが可能となる。
【００３５】
また、乾燥時間表示部２２ｄは、（３０分、６０分、自動）からなる花粉除去乾燥コース２２ｄ−１の３セグメントと花粉除去送風コース２２ｄ−２（送風１０分）の１つのセグメントの合計４つのセグメントで構成し、乾燥時間設定スイッチ２１ｄを操作する毎に、その周囲にリング状に配置した、乾燥時間表示部２２ｄの３０分→６０分→自動→送風１０分→消灯の順で選択可能なので、花粉除去乾燥コース２２ｄ−１と花粉除去送風コース２２ｄ−２を同時に設定できないようにして、表示スペースを有効に活用できるとともに操作性を向上させることができる。そして、花粉除去乾燥コース２２ｄ−１（３０分、６０分、自動）を表示するセグメントを赤ＬＥＤ、と花粉除去送風コース２２ｄ−２（送風１０分）を表示するセグメントを緑ＬＥＤで構成しているので、同じ乾燥時間表示部２２ｄの中にあっても、それぞれコースが異なることを使用者にわかりやすく知らせることができ、視認性の向上を図ることができる。
【産業上の利用可能性】
【００３６】
以上のように、本発明にかかる洗濯乾燥機は、洗濯する衣類、外干し衣類にかかわらず、衣類に付着した花粉や、送風手段で洗濯槽内に吸い込まれた花粉を除去することが可能となるので、アレルギー症状の根源であるアレルゲンを低減できる事はもちろん、洗濯乾燥機においてアレルゲンを除去するという新しい使い方を提案できるとともに、ランドリー空間の空気浄化や花粉以外のアレルゲン物質除去用の機器にも適用できるものである。
【図面の簡単な説明】
【００３７】
【図１】本発明の実施の形態１における洗濯乾燥機の側断面図
【図２】同洗濯乾燥機の入力設定手段および表示手段の正面図
【図３】同洗濯乾燥機の花粉除去送風コースのタイムチャート
【図４】同洗濯乾燥機の花粉除去乾燥コースのタイムチャート
【符号の説明】
【００３８】
１  筐体
３  外槽
５  内槽
８  回転翼
１１  モータ（駆動手段）
１２  送風ファン（送風手段）
１３  ヒータ（加熱手段）
１５  花粉捕集フィルタ
【図１】
2005348848.tif 000003
【図２】
2005348848.tif 000004
【図３】
2005348848.tif 000005
【図４】
2005348848.tif 000006